(57)【要約】【課題】  保護部材の着脱が簡単にできる保護部材の取付構造およびそれを備えた腕時計を提供する。【解決手段】  時計バンド９が取り付けられるバンド取付部８が突出して設けられた腕時計ケース１と、バンド取付部８に、その各両側から突出した状態で、時計バンド９を取り付ける一対の締結部材１０と、バンド取付部８に取り付けられて腕時計ケース１の上面側、下面側、および側面側に配置された状態で、一対の締結部材１０の各頭部１２ｃ、１３ｃによって腕時計ケース１の外面に押し付けられて固定される保護部材１４、１５と、を備えている。従って、一対の締結部材１０を取り外すだけの簡単な作業で、保護部材１４、１５を取り外すことができ、また保護部材１４、１５を腕時計ケース１の外面に配置させた状態で、時計バンド９を一対の締結部材１０によって取り付けるだけの簡単な作業で、保護部材１４、１５を固定できる。【選択図】        図３
2015125107.tif 000002
【特許請求の範囲】
【請求項１】
バンドが取り付けられるバンド取付部が突出して設けられたケースと、
前記バンド取付部の両側に外端部が突出した状態で、前記バンド取付部に前記バンドを取り付ける締結部材と、
前記ケースの上面側、下面側、および両側面側に亘り配置された状態で前記締結部材の前記外端部によって前記ケースの外面に固定される保護部材と、
を備えていることを特徴とする保護部材の取付構造。
【請求項２】
請求項１に記載の保護部材の取付構造において、前記締結部材は、一対のねじ部材を有し、これら一対のねじ部材の各頭部が前記バンド取付部の両側にそれぞれ突出した状態で、前記バンド取付部に前記バンドを取り付けることを特徴とする保護部材の取付構造。
【請求項３】
請求項１または請求項２に記載の保護部材の取付構造において、前記保護部材は、前記ケースの上面に配置される上辺部と、前記バンド取付部の下面に配置される下辺部と、前記ケースの両側面に配置されて前記締結部材の前記各外端部に当接する両側辺部とを有し、これらが前記締結部材の各外端部によって前記ケースの外面に固定されていることを特徴とする保護部材の取付構造。
【請求項４】
請求項３に記載の保護部材の取付構造において、前記保護部材は、前記上辺部、前記下辺部、および前記両側辺部を２組備えていることを特徴とする保護部材の取付構造。
【請求項５】
請求項４に記載の保護部材の取付構造において、前記保護部材は、前記各上辺部が前記ケースの上面に配置され、前記各下辺部が一対の前記バンド取付部の下面に配置され、前記各両側辺部が前記ケースの各両側面に配置され、この状態で前記各両側辺部が一対の前記締結部材の前記各外端部によって押されることにより、前記各上辺部、前記各下辺部、および前記各両側辺部が前記ケースの外面に固定されていることを特徴とする保護部材の取付構造。
【請求項６】
請求項１〜請求項５のいずれかに記載の保護部材の取付構造において、前記保護部材は、線状部材により環状に形成されていることを特徴とする保護部材の取付構造。
【請求項７】
請求項１〜請求項６のいずれかに記載されている保護部材の取付構造を備えていることを特徴とする腕時計。
【発明の詳細な説明】
【技術分野】
【０００１】
この発明は、装着して使用する計時装置に用いられる保護部材の取付構造およびそれを備えた腕時計に関する。
【背景技術】
【０００２】
例えば、腕時計においては、特許文献１に記載されているように、腕時計ケースがケース本体とその外側の緩衝部材と更にその外側の外装部材とで構成され、保護部材が、腕時計ケースの緩衝部材と外装部材との間に挟み付けられて腕時計ケースの上面側に延出される線状部材と、この線状部材に取り付けられて腕時計ケースの上面に配置される保護部とを備えた構成のものが知られている。
【先行技術文献】
【特許文献】
【０００３】
【特許文献１】特開２００３−４８７０号公報
【発明の概要】
【発明が解決しようとする課題】
【０００４】
しかしながら、このような腕時計では、保護部材の線状部材の一部を腕時計ケースの緩衝部材と外装部材との間に挟み付ける構成であるから、腕時計ケースの構造が複雑であるばかりか、保護部材を腕時計ケースから取り外す際に、裏蓋をケース本体から取り外さなければ、外装部材をケース本体から取り外すことができないため、保護部材の取り外し作業が面倒であるほか、腕時計の気密性に支障が生ずるため、アフターサービスが面倒になるなどの問題がある。
【０００５】
この発明が解決しようとする課題は、保護部材の着脱が簡単にできる保護部材の取付構造およびそれを備えた腕時計を提供することである。
【課題を解決するための手段】
【０００６】
この発明は、バンドが取り付けられるバンド取付部が突出して設けられたケースと、前記バンド取付部の両側に外端部が突出した状態で、前記バンド取付部に前記バンドを取り付ける締結部材と、前記ケースの上面側、下面側、および両側面側に亘り配置された状態で前記締結部材の前記外端部によって前記ケースの外面に押し付けられて固定される保護部材と、を備えていることを特徴とする保護部材の取付構造である。
【発明の効果】
【０００７】
この発明によれば、バンド取付部にバンドを取り付ける締結部材を取り外すだけの簡単な作業で、保護部材をケースから容易に取り外すことができ、また保護部材をバンド取付部に挿入させてケースの上面側、下面側、および両側面側に配置した状態で、バンド取付部にバンドを締結部材によって取り付けるだけの簡単な作業で、保護部材をケースに容易に取り付けることができる。このため、保護部材の着脱が簡単にできる。
【図面の簡単な説明】
【０００８】
【図１】この発明に係わる保護部材の取付構造を腕時計に適用した第１実施形態を示した拡大正面図である。
【図２】図１に示された腕時計のＡ−Ａ矢視における拡大断面図である。
【図３】図１に示された腕時計を３時側から見た拡大側面図である。
【図４】図１に示された腕時計を６時側から見た拡大側面図である。
【図５】図１に示された腕時計のＢ−Ｂ矢視における拡大断面図である。
【図６】図１に示された腕時計における６時側の保護部材を示した拡大斜視図である。
【図７】図３に示された腕時計において締結部材および時計バンドを取り外して一対の保護部材を着脱する状態を示した拡大側面図である。
【図８】この発明に係わる保護部材の取付構造を腕時計に適用した第２実施形態を示した拡大正面図である。
【図９】図８に示された腕時計を３時側から見た拡大側面図である。
【図１０】図８に示された腕時計を６時側から見た拡大側面図である。
【図１１】図８に示された腕時計の保護部材を示した拡大斜視図である。
【図１２】図９に示された腕時計において締結部材および時計バンドを取り外して保護部材を着脱する状態を示した拡大側面図である。
【発明を実施するための形態】
【０００９】
（第１実施形態）
以下、図１〜図７を参照して、この発明を腕時計に適用した第１実施形態について説明する。
この腕時計は、図１および図２に示すように、腕時計ケース１を備えている。この腕時計ケース１は、ケース本体２とベゼル３とを備えている。ケース本体２は、硬質の合成樹脂からなり、その内部に金属製の補強部材２ａが埋め込まれた構成になっている。ベゼル３は、ウレタン樹脂などの軟質の合成樹脂からなり、図２および図３に示すように、ケース本体２の外面にビス３ａによって取り付けられている。
【００１０】
この腕時計ケース１の上部開口部、つまりケース本体２の上部開口部には、図２に示すように、時計ガラス４がパッキン４ａを介して取り付けられている。また、この腕時計ケース１の下部、つまりケース本体２の下部には、裏蓋５が防水リング５ａを介して取り付けられている。この腕時計ケース１の内部、つまりケース本体２の内部には、時計モジュール６が設けられている。
【００１１】
また、この腕時計ケース１の３時側および９時側に位置する側面には、図１〜図４に示すように、スイッチ釦７がそれぞれ設けられている。この腕時計ケース１の１２時側および６時側に位置する側面には、バンド取付部８がそれぞれ側方（図３では左右方向）に突出して設けられている。このバンド取付部８は、時計バンド９の端部９ａが締結部材１０によって取り付けられるように構成されている。
【００１２】
すなわち、このバンド取付部８は、図１、図４および図５に示すように、一対の取付突起部１１を有している。これら一対の取付突起部１１には、図５に示すように、取付孔１１ａが同一軸上で互いに対向して設けられている。時計バンド９は、その端部９ａがバンド取付部８の一対の取付突起部１１間に配置されるように構成されている。この時計バンド９の端部９ａには、貫通孔９ｂが一対の取付突起部１１の取付孔１１ａと同一軸上に対応して設けられている。
【００１３】
締結部材１０は、図５に示すように、第１ねじ部１２と第２ねじ部１３とを備えている。第１ねじ部１２は、雄ねじ１２ｂが設けられたねじ軸１２ａと、このねじ軸１２ａの端部に設けられた頭部１２ｃとを有している。また、第２ねじ部１３は、雌ねじ１３ｂが設けられたねじ筒１３ａと、このねじ筒１３ａの端部に設けられた頭部１３ｃとを有している。この場合、第１ねじ部１２は、そのねじ軸１２ａが第２ねじ部１３のねじ筒１３ａに挿入して、ねじ軸１２ａの雄ねじ１２ｂがねじ筒１３ａの雌ねじ１３ｂに螺合するように構成されている。
【００１４】
これにより、締結部材１０は、図５に示すように、時計バンド９の端部９ａをバンド取付部８の一対の取付突起部１１間に配置した状態で、一対の取付突起部１１の各取付孔１１ａのうち、一方（図５では左側）の取付孔１１ａから時計バンド９の貫通孔９ｂ内に第１ねじ部１２が挿入し、他方（図５では右側）の取付孔１１ａから時計バンド９の貫通孔９ｂ内に第２ねじ部１が挿入し、この状態で第１ねじ部１２の雄ねじ１２ｂが第２ねじ部１３の雌ねじ１３ｂに螺合するように構成されている。
【００１５】
また、この締結部材１０は、図５に示すように、第１ねじ部１２の雄ねじ１２ｂが第２ねじ部１３の雌ねじ１３ｂに螺合した状態で、第１ねじ部１２の頭部１２ｃと第２ねじ部１３の頭部１３ｃとを回転させて締め付けることにより、各頭部１２ｃ、１３ｃがバンド取付部８の両側の各外部に突出した状態で、時計バンド９の端部９ａをバンド取付部８に取り付けるように構成されている。
【００１６】
ところで、腕時計ケース１の１２時側と６時側とには、図１〜図４に示すように、一対の保護部材１４、１５がそれぞれ取り付けられている。すなわち、一対の保護部材１４、１５のうち、一方の保護部材１４は、腕時計ケース１の１２時側に取り付けられるように構成されており、他方の保護部材１５は、腕時計ケース１の６時側に取り付けられるように構成されている。また、一対の保護部材１４、１５は、図６に示すように、線状部材により環状に形成されている。
【００１７】
これにより、一対の保護部材１４、１５は、図１〜図４に示すように、各バンド取付部８がそれぞれ挿入して、腕時計ケース１の上面側と腕時計ケース１の下面側と腕時計ケース１の両側面側とに亘ってそれぞれ配置された状態で、締結部材１０の両側に位置する各外端部である第１、第２の各ねじ部１２、１３の各頭部１２ｃ、１３ｃによってそれぞれ腕時計ケース１の外面に押し付けられて固定されるように構成されている。
【００１８】
この場合、一対の保護部材１４、１５のうち、１２時側の保護部材１４は、図１〜図４に示すように、その上辺部１４ａが腕時計ケース１の１時と１１時との間に位置し、この上辺部１４ａの両端部がベゼル３の上面における１時と１１時とに設けられた各係止溝１６に配置されるように形成されている。この１２時側の保護部材１４の下辺部１４ｂは、バンド取付部８の下面に位置して裏蓋５の縁部に当接するように形成されている。
【００１９】
また、この１２時側の保護部材１４の両側辺部１４ｃは、図１〜図４に示すように、腕時計ケース１の下面側から締結部材１０の両側に位置する各頭部１２ｃ、１３ｃの各外周に向けて延び、これら各頭部１２ｃ、１３ｃから腕時計ケース１の上面に向けて傾斜するように折り曲げられている。
【００２０】
すなわち、この保護部材１４の両側辺部１４ｃは、図１〜図４に示すように、下辺部１４ｂの両端から締結部材１０の各頭部１２ｃ、１３ｃに向けてほぼ垂直上方に延び、これら各頭部１２ｃ、１３ｃから腕時計ケース１の上面に向けて傾斜して延びると共に、バンド取付部８と腕時計ケース１との境界部分に位置する腕時計ケース１の両側面をその両側から挟み付けるように、ベゼル３の外面に沿って傾斜するように折り曲げられている。
【００２１】
これにより、１２時側の保護部材１４は、図１〜図４に示すように、その上辺部１４ａが腕時計ケース１の１２時側に位置する上面に配置され、下辺部１４ｂが１２時側のバンド取付部８の下面に配置され、両側辺部１４ｃが腕時計ケース１の１２時側に位置する両側面に配置され、この状態で両側辺部１４ｃが１２時側の締結部材１０の各外端部である第１、第２の各ねじ部１２、１３の各頭部１２ｃ、１３ｃによって押されることにより、腕時計ケース１の１２時側の外面に押し付けられて固定されるように構成されている。
【００２２】
すなわち、この保護部材１４は、図１〜図４に示すように、その両側辺部１４ｃが締結部材１０の各頭部１２ｃ、１３ｃによって押されると、上辺部１４ａが腕時計ケース１のベゼル３の１時側と１１時側とに位置する各係止溝１６に押し付けられ、下辺部１４ｂが１２時側のバンド取付部８の下面に当接した状態で、裏蓋５の縁部に押し付けられ、両側辺部１４ｃが２時側と１０時側との位置する腕時計ケース１の両側面に押し付けられると共に、各スイッチ釦７の周囲に設けられたベゼル３の各保護突起３ｂに押し付けられるように構成されている。
【００２３】
一方、６時側に位置する保護部材１５は、図１〜図４に示すように、その上辺部１５ａが腕時計ケース１の５時と７時との間に位置し、この上辺部１５ａの両端部がベゼル３の上面における５時と７時とに設けられた各係止溝１６に配置されるように形成されている。この６時側の保護部材１５の下辺部１５ｂは、１２時側の保護部材１４と同様、バンド取付部８の下面に位置して裏蓋５の縁部に当接するように形成されている。
【００２４】
また、この６時側の保護部材１５の両側辺部１５ｃは、図１〜図４に示すように、１２時側の保護部材１４と同様、腕時計ケース１の下面側から締結部材１０の両側に位置する各頭部１２ｃ、１３ｃの各外周に向けて延び、これら各頭部１２ｃ、１３ｃから腕時計ケース１の上面に向けて傾斜するように折り曲げられている。
【００２５】
すなわち、この６時側の保護部材１５の両側辺部１５ｃも、１２時側の保護部材１４と同様、下辺部１５ｂの両端から締結部材１０の各頭部１２ｃ、１３ｃに向けてほぼ垂直上方に延び、これら各頭部１２ｃ、１３ｃから腕時計ケース１の上面に向けて傾斜して延びると共に、バンド取付部８と腕時計ケース１との境界部分に位置する腕時計ケース１の両側面をその両側から挟み付けるように、ベゼル３の外面に沿って傾斜するように折り曲げられている。
【００２６】
これにより、６時側の保護部材１５は、図１〜図４に示すように、その上辺部１５ａが腕時計ケース１の６時側に位置する上面側に配置され、下辺部１５ｂが６時側のバンド取付部８の下面に配置され、両側辺部１５ｃが腕時計ケース１の６時側に位置する両側面に配置され、この状態で両側辺部１５ｃが６時側の締結部材１０の各外端部である第１、第２の各ねじ部１２、１３の各頭部１２ｃ、１３ｃによって押されることにより、腕時計ケース１の６時側の外面に押し付けられて固定されるように構成されている。
【００２７】
すなわち、この保護部材１５は、図１〜図４に示すように、その両側辺部１５ｃが締結部材１０の各頭部１２ｃ、１３ｃによって押されると、上辺部１５ａが腕時計ケース１のベゼル３の５時側と７時側とに位置する各係止溝１６に押し付けられ、下辺部１５ｂが６時側のバンド取付部８の下面に当接した状態で、裏蓋５の縁部に押し付けられ、両側辺部１５ｃが２時側と１０時側とに位置する腕時計ケース１の両側面に押し付けられると共に、各スイッチ釦７の周囲に設けられたベゼル３の各保護突起３ｂに押し付けられるように構成されている。
【００２８】
次に、この腕時計の作用について説明する。
この腕時計を組み立てる場合には、まず、腕時計ケース１のケース本体２の上部開口部に時計ガラス４を取り付け、このケース本体２内に時計モジュール６を組み付ける。この状態でケース本体１の外面にベゼル３をビス３ａによって取り付ける。そして、腕時計ケース１の３時側および９時側に複数のスイッチ釦７を取り付けた後、腕時計ケース１のケース本体２の下面に裏蓋５を取り付ける。
【００２９】
この後、腕時計ケース１の一対のバンド取付部８にそれぞれ時計バンド９を取り付ける。このときには、時計バンド９の端部９ａをバンド取付部８の一対の取付突起部１１間に配置して、時計バンド９の貫通孔９ｂを一対の取付突起部１１の各取付孔１１ａに同一軸上で対応させる。この状態で、締結部材１０の第１ねじ部１２を一方の取付孔１１ａから時計バンド９の貫通孔９ｂに挿入すると共に、第２ねじ部１３を他方の取付孔１１ａから時計バンド９の貫通孔９ｂに挿入する。
【００３０】
この状態で、第１ねじ部１２のねじ軸１２ａを第２ねじ部１３のねじ筒１３ａに挿入させて、第１ねじ部１２の頭部１２ｃと第２ねじ部１３の頭部１３ｃとを互いに押し付けながら、ねじ軸１２ａの雄ねじ１２ｂをねじ筒１３ａの雌ねじ１３ｃに螺合させて締め付ける。これにより、第１ねじ部１２の頭部１２ｃと第２ねじ部１３の頭部１３ｃとがバンド取付部８の両側に突出した状態で、時計バンド９の端部９ａが腕時計ケース１のバンド取付部８に取り付けられる。
【００３１】
次に、腕時計ケース１に一対の保護部材１４、１５を取り付ける場合について説明する。
この場合には、まず、締結部材１０の第１、第２の各ねじ部１２、１３を緩めて一対のバンド取付部８から取り外し、図７に示すように、一対のバンド取付部８から時計バンド９をそれぞれ取り外す。この状態で、一対の保護部材１４、１５を腕時計ケース１の一対のバンド取付部８にそれぞれ挿入させて、各保護部材１４、１５を腕時計ケース１の上面側、下面側、および両側面に亘ってそれぞれ配置する。
【００３２】
すなわち、一対の保護部材１４、１５のうち、１２時側の保護部材１４を１２時側のバンド取付部８に配置して、この保護部材１４の上辺部１４ａを腕時計ケース１の１時と１１時との間に対応させ、この上辺部１４ａの両端部をベゼル３の上面に設けられた各係止溝１６内に配置する。また、この１２時側の保護部材１４の下辺部１４ｂを１２時側のバンド取付部８の下面に対応させて裏蓋５の縁部に当接させる。
【００３３】
このときには、１２時側の保護部材１４の両側辺部１４ｃが、図７に示すように、１２時側に位置する腕時計ケース１の下面側から１２時側のバンド取付部８の両側に位置する取付孔１１ａの近傍を通り、腕時計ケース１の上面に向けて傾斜して配置される。すなわち、この保護部材１４の両側辺部１４ｃは、下辺部１４ｂの両端からほぼ垂直上方に延び、バンド取付部８の両側に位置する取付孔１１ａの近傍から腕時計ケース１の上面に向けて傾斜して延びる。
【００３４】
この状態で、時計バンド９の端部９ａを１２時側のバンド取付部８の一対の取付突起部１１間に配置して、締結部材１０によって時計バンド９の端部９ａをバンド取付部８に取り付ける。このときには、締結部材１０の第１ねじ部１２の雄ねじ１２ｂを第２ねじ部１３の雌ねじ１３ｃに螺合させて締め付けると、第１ねじ部１２の頭部１２ｃと第２ねじ部１３の頭部１３ｃとが保護部材１４の両側辺部１４ｃに当接して保護部材１４の両側辺部１４ｃを腕時計ケース１の６時側に向けて押し付ける。
【００３５】
これにより、１２時側の保護部材１４は、その上辺部１４ａが腕時計ケース１のベゼル３の上面に設けられた各係止溝１６内に押し付けられ、下辺部１４ｂが１２時側のバンド取付部８の下面に当接して裏蓋５の縁部に押し付けられ、両側辺部１４ｃが腕時計ケース１の１２時側の両側面に押し付けられる。このため、１２時側の保護部材１４が腕時計ケース１の外面に固定される。
【００３６】
同様に、６時側の保護部材１５も、６時側のバンド取付部８に配置されて、この保護部材１５の上辺部１５ａを腕時計ケース１の５時と７時との間に対応させ、この上辺部１５ａの両端部をベゼル３の上面に設けられた各係止溝１６内に配置する。また、この６時側の保護部材１５の下辺部１５ｂを６時側のバンド取付部８の下面に対応させて裏蓋５の縁部に当接させる。
【００３７】
このときにも、６時側の保護部材１５の両側辺部１５ｃは、図７に示すように、６時側に位置する腕時計ケース１の下面側からバンド取付部８の両側に位置する取付孔１１ａの近傍を通り、腕時計ケース１の上面に向けて傾斜して配置される。すなわち、この保護部材１５の両側辺部１５ｃは、下辺部１５ｂの両端からほぼ垂直上方に延び、バンド取付部８の両側に位置する取付孔１１ａの近傍から腕時計ケース１の上面に向けて傾斜して延びる。
【００３８】
この状態で、時計バンド９の端部９ａを６時側のバンド取付部８の一対の取付突起部１１間に配置して、締結部材１０によって時計バンド９の端部９ａをバンド取付部８に取り付ける。このときにも、締結部材１０の第１ねじ部１２の雄ねじ１２ｂを第２ねじ部１３の雌ねじ１３ｃに螺合させて締め付けると、第１ねじ部１２の頭部１２ｃと第２ねじ部１３の頭部１３ｃとが保護部材１５の両側辺部１５ｃに当接して保護部材１５の両側辺部１５ｃを腕時計ケース１の１２時側に向けて押し付ける。
【００３９】
これにより、６時側の保護部材１５は、その上辺部１５ａが腕時計ケース１のベゼル３の上面に設けられた各係止溝１６内に押し付けられ、下辺部１５ｂが６時側のバンド取付部８の下面に当接して裏蓋５の縁部に押し付けられ、両側辺部１５ｃが腕時計ケース１の６時側の両側面に押し付けられる。このため、６時側の保護部材１５も、１２時側の保護部材１４と同様、腕時計ケース１の外面に固定される。
【００４０】
一方、保護部材１４、１５を腕時計ケース１から取り外す場合には、まず、締結部材１０の第１、第２の各ねじ部１２、１３を緩めて一対のバンド取付部８から取り外す。すると、図７に示すように、第１ねじ部１２の頭部１２ｃと第２ねじ部１３の頭部１３ｃとによる保護部材１５の両側辺部１５ｃに対する押し付けが解除される。このため、腕時計ケース１に対する保護部材１４、１５の固定が解除される。
【００４１】
この状態で、一対のバンド取付部８から時計バンド９をそれぞれ取り外すと、保護部材１４、１５を腕時計ケース１から取り外すことができる。このときには、保護部材１４、１５の各上辺部１４ａ、１５ａをベゼル３の上面に設けられた各係止溝１６から離脱させ、この状態で保護部材１４、１５を一対のバンド取付部８からそれぞれ抜き出すことができる。これにより、保護部材１４、１５を腕時計ケース１から容易に取り外すことができる。
【００４２】
このように、この腕時計によれば、時計バンド９の端部９ａがそれぞれ取り付けられる一対のバンド取付部８が突出して設けられた腕時計ケース１と、一対のバンド取付部８の各両側から突出した状態で、一対のバンド取付部８に時計バンド９の端部９ａをそれぞれ取り付ける一対の締結部材１０と、一対のバンド取付部８が腕時計ケース１の上面側、下面側、両側面側に亘ってそれぞれ配置された状態で、一対の締結部材１０の各外端部である各頭部１２ｃ、１３ｃによってそれぞれ腕時計ケース１の外面に押し付けられて固定される一対の保護部材１４、１５と、を備えているので、これら一対の保護部材１４、１５の着脱が簡単にできる。
【００４３】
すなわち、この腕時計では、一対のバンド取付部８に時計バンド９の端部９ａをそれぞれ取り付ける一対の締結部材１０を取り外すだけの簡単な作業で、一対の保護部材１４、１５を腕時計ケース１から容易に取り外すことができる。また、一対の保護部材１４、１５を腕時計ケース１の外面にそれぞれ配置させた状態で、一対のバンド取付部８に時計バンド９の端部９ａをそれぞれ締結部材１０によって取り付けるだけの簡単な作業で、一対の保護部材１４、１５を腕時計ケース１に容易に取り付けて固定することができる。このため、一対の保護部材１４、１５の着脱が簡単にできる。
【００４４】
この場合、一対の締結部材１０を取り外して、一対のバンド取付部８から時計バンド９の各端部９ａを取り外すことにより、一対の保護部材１４、１５を腕時計ケース１から取り外すことができるので、腕時計ケース１の気密性に係わる部品、例えば裏蓋５やスイッチ釦７を腕時計ケース１から取り外す必要がない。このため、一対の保護部材１４、１５を交換する際の作業が簡単で容易にできるので、アフターサービスにおける作業性の向上を図ることができる。
【００４５】
また、この腕時計では、締結部材１０が第１ねじ部１２と第２ねじ部１３とを有し、これら第１、第２の各ねじ部１２、１３の各外端部である各頭部１２ｃ、１３ｃが一対のバンド取付部８の各両側からそれぞれ突出することにより、これら第１、第２の各ねじ部１２、１３の各頭部１２ｃ、１３ｃによって一対の保護部材１４、１５を腕時計ケース１側に向けて確実に押し付けることができる。
【００４６】
このため、締結部材１０は、一対の保護部材１４、１５が腕時計ケース１の上面側、下面側、および両側面側に配置された状態で、締結部材１０の各外端部である各頭部１２ｃ、１３ｃが一対の保護部材１４、１５をそれぞれ腕時計ケース１の外面に押し付けることができるので、一対の保護部材１４、１５をそれぞれ腕時計ケース１の外面にガタツクことなく、確実にかつ良好に固定することができる。
【００４７】
また、一対の保護部材１４、１５は、腕時計ケース１の上面に配置される各上辺部１４ａ、１５ａと、腕時計ケース１の下面側に配置される各下辺部１４ｂ、１５ｂと、腕時計ケース１の両側面に配置される各両側辺部１４ｃ、１５ｃとを有し、これらが一対の締結部材１０の各外端部である各頭部１２ｃ、１３ｃによって腕時計ケース１の外面に押し付けられるので、一対の保護部材１４、１５をそれぞれ腕時計ケース１の外面に確実にかつ強固に固定することができると共に、落下の際の衝撃を一対の保護部材１４、１５によって吸収することができ、これにより腕時計を良好に保護することができる。
【００４８】
この場合、一対の保護部材１４、１５は、それぞれ線状部材からなり、環状に折り曲げられていることにより、線状部材の太さを太くすることができると共に、線状部材を太くしても、腕時計ケース１の外形に合わせて容易に製作することができる。これにより、一対の保護部材１４、１５をそれぞれ腕時計ケース１の外面に固定する際に、一対の保護部材１４、１５を腕時計ケース１の外面に接触させた状態で確実にかつ良好に押し付けることができる。
【００４９】
すなわち、各保護部材１４、１５は、それぞれ各上辺部１４ａ、１５ａが腕時計ケース１の上面に配置され、各下辺部１４ｂ、１５ｂがバンド取付部８の下面に配置され、各両側辺部１４ｃ、１５ｃが腕時計ケース１の両側面に配置され、この状態で各両側辺部１４ｃ、１５ｃが一対の締結部材１０の各頭部１２ｃ、１３ｃによって押されることにより、一対の保護部材１４、１５を腕時計ケース１の外面に接触させた状態で確実にかつ良好に押し付けて固定することができる。
【００５０】
このため、一対の保護部材１４、１５は、各上辺部１４ａ、１５ａを腕時計ケース１の上面に押し付け、各下辺部１４ｂ、１５ｂをバンド取付部８の下面および裏蓋５の縁部に押し付け、各両側辺部１４ｃ、１５ｃを腕時計ケース１の各両側面に押し付けることができるので、一対の保護部材１４、１５をそれぞれ腕時計ケース１の外面にガタツクことなく、確実に固定することができる。
【００５１】
この場合、一対の保護部材１４、１５は、その各両側辺部１４ｃ、１５ｃが各スイッチ釦７の周囲に位置するベゼル３の各保護突起３ｂに押し付けられる構成であるから、一対の保護部材１４、１５が各スイッチ釦７を上下に挟むことがなく、一対の保護部材１４、１５を各スイッチ釦７から逃した位置に良好に配置することができる。このため、一対の保護部材１４、１５を取り外す際に、各スイッチ釦７を腕時計ケース１から取り外す必要がないので、取り外し作業性の向上を図ることができる。
【００５２】
なお、上述した第１実施形態では、一対の保護部材１４、１５を腕時計ケース１の１２時側と６時側とにそれぞれ取り付けるように構成した場合について述べたが、必ずしも腕時計ケース１の１２時側と６時側との両方に取り付ける必要はなく、腕時計ケース１の１２時側と６時側とのいずれか一方のみに取り付けるように構成しても良い。また、バンド取付部８は、必ずしも腕時計ケース１の１２時側と６時側との両方に設ける必要はなく、腕時計ケース１の１２時側と６時側とのいずれか一方のみに設けた構成であっても良い。
【００５３】
（第２実施形態）
次に、図８〜図１２を参照して、この発明を腕時計に適用した第２実施形態について説明する。なお、図１〜図７に示された第１実施形態と同一部分には同一符号を付して説明する。
この腕時計は、図８〜図１０に示すように、保護部材２０が第１実施形態と異なる構成であり、これ以外は第１実施形態とほぼ同じ構成になっている。
【００５４】
この保護部材２０は、図８〜図１１に示すように、１つの線状部材を環状に折り曲げられた構成になっている。これにより、保護部材２０は、一対のバンド取付部８がそれぞれ挿入して、腕時計ケース１の上面側と腕時計ケース１の下面側と腕時計ケース１の両側面側とにそれぞれ配置された状態で、締結部材１０の両側に位置する各外端部である第１、第２の各ねじ部１２、１３の各頭部１２ｃ、１３ｃによってそれぞれ押されて腕時計ケース１の外面に固定されるように構成されている。
【００５５】
すなわち、この保護部材２０は、図８〜図１０に示すように、その各上辺部２０ａ、２０ｂが腕時計ケース１の１時と５時との間および７時と１１時との間にそれぞれ位置し、この状態で各上辺部２０ａ、２０ｂの両端部がベゼル３の上面における１時、５時、７時、１１時の個所にそれぞれ設けられた各係止溝１６に配置されるように形成されている。
【００５６】
また、この保護部材２０は、図８〜図１０に示すように、その各下辺部２０ｃ、２０ｄが一対のバンド取付部８の各下面に位置して、時計バンド９の端部９ａに押し付けられるように形成されている。さらに、この保護部材２０は、その各両側辺部２０ｅ、２０ｆが、腕時計ケース１の下面側から締結部材１０の両側に位置する各頭部１２ｃ、１３ｃの各外周に向けて延び、これら各頭部１２ｃ、１３ｃから腕時計ケース１の上面に向けてそれぞれ傾斜するように折り曲げられている。
【００５７】
すなわち、この保護部材２０の各両側辺部２０ｅ、２０ｆは、図８〜図１０に示すように、各下辺部２０ｃ、２０ｄの各両端から各締結部材１０の各頭部１２ｃ、１３ｃに向けてほぼ垂直上方に延び、これら各頭部１２ｃ、１３ｃから腕時計ケース１の上面に向けて傾斜して延びると共に、一対のバンド取付部８と腕時計ケース１との各境界部分に位置する腕時計ケース１の各両側面をそれぞれ両側から挟み付けるように、ベゼル３の外面に沿ってそれぞれ傾斜するように折り曲げられている。
【００５８】
これにより、保護部材２０は、図８〜図１０に示すように、その１２時側に位置する部分が、腕時計ケース１の１２時側に位置する上面側と１２時側のバンド取付部８の下面と腕時計ケース１の１２時側に位置する両側面とにそれぞれ配置された状態で、１２時側の締結部材１０の各外端部である各頭部１２ｃ、１３ｃによってそれぞれ押されて腕時計ケース１の１２時側の外面に押し付けられて固定されるように構成されている。
【００５９】
この場合、保護部材２０の１２時側の部分は、図８〜図１０に示すように、その各上辺部２０ａ、２０ｂの各端部が腕時計ケース１のベゼル３の１時側と１１時側とに位置する各係止溝１６に配置され、下辺部２０ｃが１２時側のバンド取付部８の下面に配置された状態で時計バンド９の端部９ａに押し付けられ、両側辺部２０ｅが２時側と１０時側との位置する各スイッチ釦７の周囲に位置するベゼル３の各保護突起３ｂに押し付けられるように構成されている。
【００６０】
また、この保護部材２０は、図８〜図１０に示すように、その６時側に位置する部分が、腕時計ケース１の６時側に位置する上面側と６時側のバンド取付部８の下面と腕時計ケース１の６時側に位置する両側面とにそれぞれ配置された状態で、６時側の締結部材１０の各外端部である各頭部１２ｃ、１３ｃによってそれぞれ押されて腕時計ケース１の６時側の外面に押し付けられて固定されるように構成されている。
【００６１】
この場合にも、保護部材２０の６時側の部分は、図８〜図１０に示すように、その各上辺部２０ａ、２０ｂの各端部が腕時計ケース１のベゼル３の５時側と７時側とに位置する各係止溝１６に配置され、下辺部２０ｄが６時側のバンド取付部８の下面に配置された状態で時計バンド９の端部９ａに押し付けられ、両側辺部２０ｆが４時側と８時側との位置する各スイッチ釦７の周囲に位置するベゼル３の各保護突起３ｂに押し付けられるように構成されている。
【００６２】
この場合、保護部材２０は、図８および図９に示すように、その各上辺部２０ａ、２０ｂのうち、３時側に位置する上辺部２０ａが１時側から５時側に亘り配置され、９時側に位置する上辺部２０ｂが７時側から１１時側に亘り配置されていることにより、一体に構成されている。
【００６３】
次に、この腕時計の作用について説明する。
保護部材２０を腕時計ケース１に取り付ける場合には、第１実施形態と同様、まず、締結部材１０の第１、第２の各ねじ部１２、１３を緩めて一対のバンド取付部８から取り外し、図１２に示すように、一対のバンド取付部８から時計バンド９をそれぞれ取り外す。この状態で、保護部材２０を腕時計ケース１の一対のバンド取付部８に配置して、保護部材２０を腕時計ケース１の上面側、下面側、および両側面側に亘ってそれぞれ配置する。
【００６４】
このときには、例えば、図１２に示すように、１２時側のバンド取付部８に保護部材２０の１２時側を配置して、保護部材２０の１２時側の下辺部２０ｃを１２時側のバンド取付部８の下面に引っ掛ける。すると、１２時側の両側辺部２０ｅが腕時計ケース１の１２時側の両側面を挟んだ状態になる。この状態で、保護部材２０の各上辺部２０ａ、２０ｂを腕時計ケース１の上面に対応させると共に、保護部材２０の６時側の下辺部２０ｄを６時側のバンド取付部８上に対応する。
【００６５】
この状態で、保護部材２０の６時側に位置する各上辺部２０ａ、２０ｂを腕時計ケース１の上面に向けて押下げると、６時側の両側辺部２０ｆが押し広げられながら腕時計ケース１の６時側の両側面に配置されると共に、６時側の下辺部２０ｄが押し広げられて６時側のバンド取付部８の先端部を乗り越えてバンド取付部８の下面に移動して当接する。
【００６６】
これにより、保護部材２０は、１２時側の下辺部２０ｃがバンド取付部８の下面に当接し、１２時側の両側辺部２０ｅが腕時計ケース１の１２時側の両側面を挟んで配置され、各上辺部２０ａ、２０ｂが腕時計ケース１のベゼル３の上面に設けられた複数の係止溝１６に配置され、６時側の下辺部２０ｄが６時側のバンド取付部８の下面に当接し、６時側の両側辺部２０ｆが腕時計ケース１の６時側の両側面を挟んで配置される。
【００６７】
この状態で、時計バンド９の端部９ａを一対のバンド取付部８にそれぞれ一対の締結部材１０によって取り付ける。このときには、締結部材１０の第１ねじ部１２の雄ねじ１２ｂを第２ねじ部１３の雌ねじ１３ｃに螺合させて締め付けると、第１ねじ部１２の頭部１２ｃと第２ねじ部１３の頭部１３ｃとが保護部材２０の各両側辺部２０ｅ、２０ｆに当接して保護部材２０の各両側辺部２０ｅ、２０ｆを腕時計ケース１の下側に向けて押し付ける。
【００６８】
これにより、保護部材２０は、各上辺部２０ａ、２０ｂが腕時計ケース１のベゼル３の上面に設けられた各係止溝１６内に押し付けられ、各下辺部２０ｂ、２０ｃがバンド取付部８の先端部側に位置する下面に押し付けられて各時計バンド９の各端部９ａに押し当てられ、各両側辺部２０ｅ、２０ｆが腕時計ケース１の各両側面を挟み付け、この状態で腕時計ケース１の外面に押し付けられる。このため、保護部材２０が腕時計ケース１の外面に固定される。
【００６９】
一方、保護部材２０を腕時計ケース１から取り外す場合には、まず、一対の締結部材１０の第１、第２の各ねじ部１２、１３を緩めて一対のバンド取付部８から取り外す。すると、図１２に示すように、第１ねじ部１２の頭部１２ｃと第２ねじ部１３の頭部１３ｃとによる保護部材２０の各両側辺部２０ｅ、２０ｆに対する押し付けが解除される。このため、腕時計ケース１に対する保護部材２０の固定が解除される。
【００７０】
この状態で、一対のバンド取付部８から時計バンド９をそれぞれ取り外すと、保護部材２０を腕時計ケース１から取り外すことができる。このときには、図１２に示すように、例えば、保護部材２０の６時側の下辺部２０ｄを押し広げて６時側のバンド取付部８の先端を乗り越えさせる。この状態で、保護部材２０の６時側の下辺部２０ｄを腕時計ケース１の上方に引き上げて、６時側の両側辺部２０ｆを腕時計ケース１の６時側の両側面から上方に離脱させる。
【００７１】
すると、保護部材２０が１２時側のバンド取付部８の下面に当接している１２時側の下辺部２０ｃを中心に時計回りに回転して、各上辺部２０ａ、２０ｂが腕時計ケース１の上方に傾いて離脱すると共に、１２時側の両側辺部２０ｅが腕時計ケース１の１２時側の両側面から離脱する。この状態で、１２時側の下辺部２０ｃと両側辺部２０ｅを１２時側のバンド取付部８から離脱させる。これにより、保護部材２０を腕時計ケース１から取り外すことができる。
【００７２】
このように、この腕時計によれば、時計バンド９の端部９ａがそれぞれ取り付けられる一対のバンド取付部８が突出して設けられた腕時計ケース１と、一対のバンド取付部８の各両側から突出した状態で、一対のバンド取付部８に時計バンド９の端部９ａをそれぞれ取り付ける一対の締結部材１０と、腕時計ケース１の上面側、下面側、および両側面側に亘ってそれぞれ配置された状態で、一対の締結部材１０の各外端部である各頭部１２ｃ、１３ｃによって腕時計ケース１の外面に押し付けられて固定される保護部材２０と、を備えているので、第１実施形態と同様、保護部材１４、１５の着脱が簡単にできる。
【００７３】
すなわち、この腕時計においても、第１実施形態と同様、一対のバンド取付部８に時計バンド９の端部９ａをそれぞれ取り付ける一対の締結部材１０を取り外すだけの簡単な作業で、保護部材２０を腕時計ケース１から容易に取り外すことができる。また、保護部材２０を腕時計ケース１の外面に配置させた状態で、一対のバンド取付部８に時計バンド９の端部９ａをそれぞれ一対の締結部材１０によって取り付けるだけの簡単な作業で、保護部材２０を腕時計ケース１に容易に取り付けて固定することができる。このため、保護部材２０の着脱が簡単にできる。
【００７４】
この場合、一対の締結部材１０を取り外して、一対のバンド取付部８から時計バンド９の端部９ａをそれぞれ取り外すことにより、保護部材２０を腕時計ケース１から取り外すことができるので、第１実施形態と同様、腕時計ケース１の気密性に係わる部品、例えば裏蓋５やスイッチ釦７を腕時計ケース１から取り外す必要がない。このため、第１実施形態と同様、保護部材２０を交換する際の作業が簡単で容易にできるので、アフターサービスにおける作業性の向上を図ることができる。
【００７５】
また、この腕時計においても、締結部材１０が第１ねじ部１２と第２ねじ部１３とを有し、これら第１、第２の各ねじ部１２、１３の各外端部である各頭部１２ｃ、１３ｃが一対のバンド取付部８の各両側からそれぞれ突出することにより、第１実施形態と同様、第１、第２の各ねじ部１２、１３の各頭部１２ｃ、１３ｃによって保護部材２０を腕時計ケース１側に向けて確実に押し付けて固定することができる。
【００７６】
このため、締結部材１０は、保護部材２０が腕時計ケース１の上面側、下面側、および両側面側にそれぞれ配置された状態で、締結部材１０の各外端部である各頭部１２ｃ、１３ｃが保護部材２０をそれぞれ腕時計ケース１の外面に押し付けることができるので、第１実施形態と同様、保護部材２０をそれぞれ腕時計ケース１の外面にガタツクことなく、確実にかつ良好に固定することができる。
【００７７】
また、保護部材２０は、腕時計ケース１の上面に配置される各上辺部２０ａ、２０ｂと、腕時計ケース１の下面側に配置される各下辺部２０ｃ、２０ｄと、腕時計ケース１の両側面側に配置される各両側辺部２０ｅ、２０ｆと、を有し、これらが腕時計ケース１の外面に押し付けられるので、第１実施形態と同様、保護部材２０をそれぞれ腕時計ケース１の外面に確実にかつ強固に固定することができる。
【００７８】
この場合、保護部材２０は、１つの線状部材からなり、上辺部２０ａ、２０ｂ、下辺部２０ｃ、２０ｄ、および両側辺部２０ｅ、２０ｆを２組備え、これらが連続した状態で環状に折り曲げられていることにより、第１実施形態と同様、線状部材の太さを太くすることができると共に、線状部材を太くしても、腕時計ケース１の外形に合わせて容易に製作することができる。これにより、保護部材２０をそれぞれ腕時計ケース１の外面に固定する際に、保護部材２０を腕時計ケース１の外面に良好に接触させた状態で確実に押し付けることができる。
【００７９】
すなわち、１つの線状部材からなる保護部材２０は、各上辺部２０ａ、２０ｂが腕時計ケース１の上面に配置され、各下辺部２０ｃ、２０ｄが腕時計ケース１の下面側に配置され、各両側辺部２０ｅ、２０ｆが腕時計ケース１の両側面側に配置され、この状態で各両側辺部２０ｅ、２０ｆが一対の締結部材１０の各頭部１２ｃ、１３ｃによって押されることにより、保護部材２０を腕時計ケース１の外面に接触させた状態で確実にかつ良好に押し付けることができる。
【００８０】
このため、保護部材２０は、各上辺部２０ａ、２０ｂを腕時計ケース１の上面に押し付け、各下辺部２０ｃ、２０ｄを一対のバンド取付部８の下面および各時計バンド９の端部９ａに押し付け、各両側辺部２０ｅ、２０ｆを腕時計ケース１の各両側面に押し付けることができるので、保護部材２０を腕時計ケース１の外面にガタツクことなく、確実に固定することができると共に、落下の際の衝撃を一対の保護部材１４、１５によって吸収することができ、これにより腕時計を良好に保護することができる。
【００８１】
この場合、保護部材２０は、その各両側辺部２０ｅ、２０ｆが各スイッチ釦７の周囲に位置するベゼル３の各保護突起３ｂに押し付けられる構成であるから、保護部材２０が各スイッチ釦７を上下に挟むことがなく、保護部材２０を各スイッチ釦７から逃した位置に良好に配置することができる。このため、保護部材２０を取り外す際に、第１実施形態と同様、各スイッチ釦７を腕時計ケース１から取り外す必要がないので、取り外し作業性の向上を図ることができる。
【００８２】
なお、上述した第１、第２の各実施形態では、締結部材１０が第１ねじ部１２と第２ねじ部１３とを有し、第１ねじ部１２は、雄ねじ１２ｂが設けられたねじ軸１２ａと、このねじ軸１２ａの端部に設けられた頭部１２ｃとを有し、第２ねじ部１３は、雌ねじ１３ｂが設けられたねじ筒１３ａと、このねじ筒１３ａの端部に設けられた頭部１３ｃとを有する構成である場合について述べたが、必ずしもこれに限られる必要はない。
【００８３】
また、バンド取付部８に、必ずしも時計バンド９の端部９ａを取り付ける必要はなく、時計バンド９の端部９ａ以外の部分を取り付けてもよい。また、保護部材１４、１５、２０を環状にするために、必ずしも折り曲げる必要はなく、プレス加工や金型成形等のその他の方法により形成してもよい。
【００８４】
例えば、締結部材は、両側内部に雌ねじが設けられたパイプ部と、このパイプ部の一端部に螺合するねじ軸および頭部を有する第１ねじ部と、パイプ部の他端部に螺合するねじ軸および頭部を有する第２ねじ部とを有し、第１、第２の各ねじ部の頭部がバンド取付部の両側から突出する構成であっても良い。
【００８５】
また、上述した第１、第２の各実施形態では、腕時計に適用した場合について述べたが、必ずしも腕時計である必要はなく、例えば腕に装着して使用する腕装着型の電子機器にも適用することができる。
【００８６】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８７】
（付記）
請求項１に記載の発明は、バンドが取り付けられるバンド取付部が突出して設けられたケースと、前記バンド取付部の両側に外端部が突出した状態で、前記バンド取付部に前記バンドを取り付ける締結部材と、前記ケースの上面側、下面側、および両側面側に亘り配置された状態で前記締結部材の前記外端部によって前記ケースの外面に固定される保護部材と、を備えていることを特徴とする保護部材の取付構造である。
【００８８】
請求項２に記載の発明は、請求項１に記載の保護部材の取付構造において、前記締結部材は、一対のねじ部材を有し、これら一対のねじ部材の各頭部が前記バンド取付部の両側にそれぞれ突出した状態で、前記バンド取付部に前記バンドを取り付けることを特徴とする保護部材の取付構造である。
【００８９】
請求項３に記載の発明は、請求項１または請求項２に記載の保護部材の取付構造において、前記保護部材は、前記ケースの上面に配置される上辺部と、前記バンド取付部の下面に配置される下辺部と、前記ケースの両側面に配置されて前記締結部材の前記各外端部に当接する両側辺部とを有し、これらが前記締結部材の各外端部によって前記ケースの外面に固定されていることを特徴とする保護部材の取付構造である。
【００９０】
請求項４に記載の発明は、請求項３に記載の保護部材の取付構造において、前記保護部材は、前記上辺部、前記下辺部、および前記両側辺部を２組備えていることを特徴とする保護部材の取付構造である。
【００９１】
請求項５に記載の発明は、請求項４に記載の保護部材の取付構造において、前記保護部材は、前記各上辺部が前記ケースの上面に配置され、前記各下辺部が一対の前記バンド取付部の下面に配置され、前記各両側辺部が前記ケースの各両側面に配置され、この状態で前記各両側辺部が一対の前記締結部材の前記各外端部によって押されることにより、前記各上辺部、前記各下辺部、および前記各両側辺部が前記ケースの外面に固定されていることを特徴とする保護部材の取付構造である。
【００９２】
請求項６に記載の発明は、請求項１〜請求項５のいずれかに記載の保護部材の取付構造において、前記保護部材は、線状部材により環状に形成されていることを特徴とする保護部材の取付構造である。
【００９３】
請求項７に記載の発明は、請求項１〜請求項６のいずれかに記載されている保護部材の取付構造を備えていることを特徴とする腕時計である。
【符号の説明】
【００９４】
１  腕時計ケース
４  時計ガラス
５  裏蓋
７  スイッチ釦
８  バンド取付部
９  時計バンド
９ａ  端部
１０  締結部材
１２  第１ねじ部
１２ｃ  頭部
１３  第２ねじ部
１３ｃ  頭部
１４、１５  保護部材
１４ａ、１５ａ  上辺部
１４ｂ、１５ｂ  下辺部
１４ｃ、１５ｃ  両側辺部
２０  保護部材
２０ａ、２０ｂ  上辺部
２０ｃ、２０ｄ  下辺部
２０ｅ、２０ｆ  両側辺部
【図１】
2015125107.tif 000003
【図２】
2015125107.tif 000004
【図３】
2015125107.tif 000005
【図４】
2015125107.tif 000006
【図５】
2015125107.tif 000007
【図６】
2015125107.tif 000008
【図７】
2015125107.tif 000009
【図８】
2015125107.tif 000010
【図９】
2015125107.tif 000011
【図１０】
2015125107.tif 000012
【図１１】
2015125107.tif 000013
【図１２】
2015125107.tif 000014